(57)【要約】　　　（修正有）【課題】ライターにクリップが装着されている、ライターとクリップの一体になっている考案はなされていたが、ライターに装着されるクリップが脱着されるものはなかった。【解決手段】ライター１０の側面にクリップ２０が脱着できる取り付け部２０１を設け、前記クリップがライター１０に脱着できることを特徴としたクリップ付きライターを提供する。【選択図】　　図１
0003097507.tif 000002
【実用新案登録請求の範囲】
【請求項１】
ライターの側面にクリップが脱着できる取り付け部を設け、前記クリップがライターに脱着できることを特徴としたクリップ脱着式ライター。
【請求項２】
ライターの側面にクリップが脱着できる取り付け部を設け、前記クリップに印刷等を設けライターに脱着できることを特徴とした請求項１記載
のクリップ脱着式ライター。
【請求項３】
ライターの側面にスタンド及びクリップが脱着できる取り付け部を設け、前記スタンド及びクリップに印刷等を設け任意の形状で形成されたスタンド及びクリップがライターに脱着できることを特徴とした請求項１又は請
求項２記載のスタンド及びクリップ脱着式ライター。
【考案の詳細な説明】
【０００１】
【考案の属する技術分野】
本発明は、ライターに関するもである。
【０００２】
【従来の技術】
従来、所定のライターにクリップが装着されている、ライターとクリップの一体になっている考案はなされていたが、ライターに装着されるクリップが脱着されるものはなかった。
【０００３】
【考案が解決しようする課題】
これには次のような欠点があった。
登録実用新案第３００３８９０号における考案はライターとクリップの一体になっている考案はなされており、特許公開平７−３０５８４４号及び実用新案公開平６−２２７５８号の発明及び考案においては、ライターとクリップが分離されるものであるが、クリップの活用がなされておらず、ライターに装着されるクリップが脱着され、クリップに印刷等を施すなどのクリップやスタンド等として活用されるライターからクリップが脱着されるものはなかった。
本考案は、以上の欠点を解決するために考案されたものである。
【０００４】
【課題を解決するための手段】
ライターの側面にクリップ及びスタンドが脱着できる取り付け部を設け、前記クリップ及びスタンドに印刷等を設けライターに脱着できることを特徴としたクリップ付きライターを提供する。
【０００５】
【考案の実施の形態】
以下、本考案の実施の形態を図をもって説明する。
本考案は図１に示すように、ライター本体（１０）にクリップ取り付け受け部（１０１）を設け、クリップ本体（２０）からなるクリップ取り付け部（２０１）によりライター本体（１０）とクリップ本体（２０）が脱着できる形態を示した図であり、ライター本体（１０）に設けられたクリップ取り付け受け部（１０１）の構成が図２に示したものである。
図３に示しているのは、クリップ本体（２０）の形態でクリップ本体（２０）にクリップ取り付け部（２０１）が設けられている。
図４は本考案実施の経過の形態を示した図で、ライター本体（１０）に設けられたクリップ取り付け受け部（１０１）に、クリップ本体（２０）からなるクリップ取り付け部（２０１）によりライター本体（１０）とクリップ本体（２０）が脱着できる形態を示した図である。
図５は実施の応用例で、応用クリップ本体Ａ（３０）設けられている応用クリップ取り付け部（３０１）は、クリップ本体（２０）のクリップ取り付け部（２０１）に比較し、応用クリップ取り付け部（３０１）に任意の角度が設けられている。これは、応用クリップ取り付け部（３０１）をライター本体（１０）に装着した際に、応用クリップ取り付け部（３０１）に設けられた角度によりスタンドとして使用できるものであり、また、応用クリップ表面（３０２）に印刷及びシールなどでの広告等を設けることで、宣伝活用が可能になる。
応用クリップ本体Ａ（３０）からの応用クリップ取り付け部（３０１）と応用クリップ裏面（３０３）を図６にて示している。
応用クリップ本体Ａ（３０）からの応用クリップ取り付け部（３０１）の角度を示すように応用クリップ本体Ａ（３０）の側面からの断面の構成を図７にて示している。
図８は本考案実施の応用例でライター本体（１０）に応用クリップ本体Ａ（３０）を装着しスタンドの状態として実施される形態を示した図である。
さらなる実施の応用で図９に示すように応用クリップ本体Ｂ（４０）の形状を人形のような形状等と印刷等を組み合わせデザイン効果をたかめることも可能である。
以上が本考案の構成で、本考案は以下に記載されるよう使用されるものである。本考案クリップ脱着式ライターは、ライターの紛失を防止するもので本考案の特徴としてライター本体（１０）とクリップ本体（２０）、応用クリップ本体Ａ（３０）または応用クリップ本体Ｂ（４０）の装着が可能であることから、目的に応じてのライター本体（１０）の使用が可能となる。また本考案は従来の所定のライター本体に広告宣伝等の目的で印刷が設けられていたが、クリップ本体（２０）、応用クリップ本体Ａ（３０）に印刷を設けることで広告宣伝等の印刷におけるスペースの供給が可能となる。
宣伝広告等の印刷を施すことで、販売促進品としての活用がなされ所定の使い捨てライターなどに本考案を活用する際に、目的に応じてのライター本体（１０）とクリップ本体（２０）、応用クリップ本体Ａ（３０）または応用クリップ本体Ｂ（４０）の一体形の形状での構成で提供が可能となる。
また、本考案実施の応用で図９に示すように応用クリップ本体Ｂ（４０）の形状を人形のような形状と印刷等を組み合わせることで、従来のライターに見られないデザイン効果と販売効果をたかめることで、イベント等における宣伝効果活用が望めることとされる。
【０００６】
【考案の効果】
本考案クリップ脱着式ライターは、ライターの紛失を防止するもので本考案の特徴としてライター本体（１０）とクリップ本体（２０）、応用クリップ本体Ａ（３０）または応用クリップ本体Ｂ（４０）の装着が可能であることから、目的に応じてのライター本体（１０）の使用が可能となることから、顧客に応じて、ライター本体（１０）とクリップ本体（２０）、応用クリップ本体Ａ（３０）または応用クリップ本体Ｂ（４０）の分離販売が可能となり、従来の所定のライター本体に広告宣伝等の目的で印刷が設けられていたが、クリップ本体（２０）、応用クリップ本体Ａ（３０）に印刷を設けることで広告宣伝等の印刷におけるスペースの供給が可能となり、さらに応用クリップ本体Ｂ（４０）の形状を人形のような形状等と印刷等を組み合わせデザイン効果をたかめることで、商品販売のバリエーションの提供が可能となる。
従って、本考案の効果により、従来のライターに見られないデザイン効果と販売効果をたかめることで、イベント等における宣伝効果活用が望めることされる。本考案は、以上のような効果を実現できるものである。
【図面の簡単な説明】
【図１】本考案のライター部に設けたクリップ取り付け部とクリップ本体を脱着できる形態を示したの図である。
【図２】本考案のライター部に設けたクリップ取り付け部の形態の図である。
【図３】本考案のライター部に設けたクリップ取り付け部に取り付けられるクリップ本体の形態を示したの図である。
【図４】本考案のライター部に設けたクリップ取り付け部とクリップ本体を脱着できる実施の形態を示したの図である。
【図５】本考案のライター部に設けたクリップ取り付け部に取り付けられるスタンド本体に印刷等を設けた形態を示したの図である。
【図６】本考案のライター部に設けたクリップ取り付け部に取り付けられるスタンド本体の裏面を示したの図である。
【図７】本考案のライター部に設けたクリップ取り付け部に取り付けられるスタンド本体の側面からの断面を示したの図である。
【図８】本考案のライター部に設けたクリップ取り付け部に取り付けられるスタンド本体の側面からの断面を示したの図である。
【図９】本考案のライター部に設けたクリップ取り付け部に取り付けられるスタンド及びクリップを任意の形状で構成した本実施の応用形態を示したの図である。
【符号の説明】
１０．ライター本体
１０１．クリップ取り付け受け部
１０２．着火部
２０．クリップ本体
２０１．クリップ取り付け部
３０．応用クリップ本体Ａ
３０１．応用クリップ取り付け受け部
３０２．応用クリップ表面
３０３．応用クリップ裏面
４０．応用クリップ本体Ｂ
【図１】
0003097507.tif 000003
【図２】
0003097507.tif 000004
【図３】
0003097507.tif 000005
【図４】
0003097507.tif 000006
【図５】
0003097507.tif 000007
【図６】
0003097507.tif 000008
【図７】
0003097507.tif 000009
【図８】
0003097507.tif 000010
【図９】
0003097507.tif 000011
【手続補正書】
【提出日】平成15年5月16日(2003.5.16)
【手続補正１】
【補正対象書類名】明細書
【補正対象項目名】実用新案登録請求の範囲
【補正方法】変更
【補正の内容】
【実用新案登録請求の範囲】
【請求項１】
ライターの片側面上方に凹部を設け、クリップ片側面上方に、前記ライター片側面上方凹部と接合できる形状で凸部を設け、ライターの片側面上方凹部とクリップ片側面上方凸部が接合できることを特徴したクリップ脱着式ライター。
【請求項２】
ライターの片側面上方に凹部を設け、クリップ片側面上方に前記ライター片側面上方凹部と接合できる形状で凸部を設け、クリップ凸部裏片側面に印刷を設け、前記ライターの片側面上方凹部とクリップ片側面上方凸部が接合できることを特徴した請求項１記載のクリップ脱着式ライター。
【請求項３】
ライターの片側面上方に凹部を設け、クリップ片側面上方に前記ライター片側面上方凹部と接合できる形状と任意の角度に設定された凸部を設け、前記ライターの片側面上方凹部と任意の角度に設定されたクリップ片側面上方凸部が接合できることを特徴した請求項１、２記載のクリップ脱着式ライター。